(57)【特許請求の範囲】
【請求項１】
ボディ（ａ）を、周面に接続管（１０）を支管状に設けた樹脂材よりなる接続部（１）と、周面に複数個のノズル接続口（２０）を放射状に設けた樹脂材よりなる噴頭部（２）とに分け、接続部（１）には、先端側に、内部に前記接続管（１０）内の管路と通ずる流路（６）を設けた軸筒部（１１）を、外径が噴頭部（２）の内径に対応する筒状に形成して噴頭部（２）に向け突出させて設け、その軸筒部（１１）の外周に噴頭部（２）を回転自在に嵌装するブーム多頭噴管（Ａ）において、前記軸筒部（１１）には、周面の一部に、その軸筒部（１１）の周面を周方向に沿って横切る底面が平面で外周面が軸筒部１１の周面に倣う軸方面視において三日月状の切欠部（５）を形成して、その切欠部（５）の底面の中央部に、前記流路（６）に通ずる開口（５０）を開設し、その開口（５０）の回りに環状の凹溝（５１）を形設してその凹溝（５１）内に弾性材よりなるＯリング（７１）を嵌装し、この切欠部（５）内に、テフロン（登録商標）等の軟質の樹脂よりなるシート（７）を、下面側が平面で上面側が前記噴頭部（２）の内周壁面に倣う円弧面とした軸方向視において前記切欠部（５）を埋める三日月状の形状に成形して嵌め込み、このシート（７）の前記開口（５０）と対向する部位に外面側に貫通する透孔（７０）を開設し、噴頭部（２）には、それの内周壁に外周側に設けた複数のノズル接続口（２０）のそれぞれに通ずる開口（２１）を、周方向に並列させて開設して、この噴頭部（２）を、前記切欠部（５）に三日月状のシート（７）を嵌め込んだ接続部（１）の軸筒部（１１）の外周に回転自在に嵌め合わせ、Ｏリング（７１）の弾性で押し上げられるシート（７）の上周面と噴頭部（２）の内周壁との摺接面により、開口（２１）まわりの水密を保持せしめるようにしたことを特徴とするブーム多頭噴管におけるノズル切り替えバルブ装置。
【請求項２】
樹脂材よりなる接続部（１）の先端側に突設した軸筒部（１１）の外周面と、この軸筒部（１１）の外周側に嵌合する樹脂材よりなる噴頭部（２）の内周面とに、それらの一方の噴頭部（２）の内周面には、基端側に寄る部位に、内周面より径方向に凹み込む、軸芯線に沿う方向の係合溝（４）を、周方向に所定のピッチで並列させて環状に設け、他方の軸筒部（１１）の外周面には、基端側に寄る部位に外周面より径方向に突出して前記係合溝（４）に順次切り替わって係合する係合突起４０を設け、かつ、その係合溝（４）と係合突起（４０）との係合が、軸筒部（１１）に設けたシート（７）に開設せる透孔（７０）に対し噴頭部（２）の内周壁に開設せる開口（２１）が接合する通水状態位置と、透孔（７０）に対し開口（２１）と開口（２１）との間の噴頭部（２）の内周壁が接合する止水状態位置とにおいて行われるように設定して設けてなることを特徴とする請求項１記載のブーム多頭噴管におけるノズル切り替えバルブ装置。
【発明の詳細な説明】
【技術分野】
【０００１】
本発明は、ブーム状の長い導液管の中間部位に、複数のノズルを設けた噴管を、導液管の長手方向に並列させて多数個取り付けて、薬液を多連に並列するノズルから一度に散布する形態のブーム多頭噴管において、噴管のボディの先端側に設ける複数のノズルに対する薬液の供給を切り替えるノズル切り替えバルブ装置についての改良に関する。
【背景技術】
【０００２】
ブーム多頭噴管は、薬液を散布する散布機の機体に装架した長いブーム状の導液管の長手方向の中間部位に、支管状に接続する接続口を、その導液管の長手方向に並列させて多数個装設し、それら接続口のそれぞれに、複数のノズルを装備せる噴管を接続させた構成のもので、これにより、散布機の機体に装備せるポンプにより圧送される薬液を、ブーム状の導液管に並列支架せる多数の噴管に設けたノズルのそれぞれから一度に噴射させて散布するように使用されるものである。
【０００３】
ブーム状の導液管の中間部に並列させて組み付け接続する噴管（ブーム多頭噴管）は、通常、図１にあるように、その噴管Ａの筒状に形成したボディａの基端側の接続部１に、ブーム状の導液管Ｂに支管状に設けられる接続口ｂに対して接続する接続管１０を設け、ボディａの先端側の噴頭部２には複数のノズル接続口２０を、外周面から放射状に突出するように設け、ボディａ内には、接続管１０から導入される薬液をノズル接続口２０に接続するノズルｎに向け導く管路と、その管路を複数のノズルｎのうちの一つに選択して連通させるよう切り替える切り替えバルブ装置と、薬液の散布作業を停めて移動するときに、薬液の残圧によりノズルの回りに生じるボタ落ちを防止するためのボタ落ち防止弁機構とを設けた構成のものとなっている。
【０００４】
このブーム多頭噴管Ａに、それのボディａの先端側に設けられる複数個のノズルに対する薬液の通水を切り替えるよう装備せしめるノズル切り替えバルブ装置は、従前のものにあっては、（１）ボールバルブを用い、複数個の弁口を閉じ、一つの弁口だけを解放する状態を、順次切り替えるか、（２）円筒状のボディのシール部を形成する壁面に、ボディ内の薬液の流路に通ずる一個の開口部を設け、シール部を形成するその壁面の外周側に、軟質樹脂よりなる環状のリングを回転自在に嵌めて、それの内周面でシール部をシールし、そのリングに複数個のノズルのそれぞれに通ずる連通口を、回転方向に並列させて設けておき、リングの回転で、複数のノズルに対する連通を切り替えるようにするか、（３）回転する金属材よりなる円錐状体の周面を、ボディ側に設ける金属材よりなる円錐状の凹面壁面にすり合わせ、円錐状体の周面に開設した薬液の流路に通ずる開口を、凹面とした壁面に設ける複数のノズルのそれぞれに連通する開口に、順次切り替えて対向させるか、の３つの手段の何れかによって行われている。
【０００５】
これらの従前の手段は、（１）の第１の手段にあっては、ブーム多頭噴管Ａに薬液を送給する送液路の元栓を閉じて、噴管Ａ内の薬液の圧力を低下させた状態でないと切り替えが行えないことで散布している作業位置において、被散布物の状況に応じてノズルを切り替えることができない問題がある。
【０００６】
また、（２）の第２の手段は、送液路内の薬液が加圧状態のままで、作業位置において切り替えができるが、リングの回転が重く、かつ、薬液を送給する流路に通ずる開口と、ノズル側の流路に通ずる開口とを、正しく一致させるのがむずかしく、切り替えの設定に時間を要し、しかも、ノズルの左右ぶれが生ずる。さらに、シール部のシールが不充分で、作業開始時に加圧ポンプを稼動し手元コックを開けた場合に、この切り替え機構部位からの漏水・液だれを多くする問題がある。
【０００７】
また、（３）の第３の手段にあっては、金属材同志をすり合わせた円錐状機構のため、シールを充分なものとすると切り替えのための回動操作が困難になる問題がある。
【発明の開示】
【発明が解決しようとする課題】
【０００８】
本発明において解決しようとする課題は、ブーム多頭噴管において、その噴管に、それのボディの先端側に設けられる複数のノズルに対し、ボディの基端側に設けられる接続口から送給される薬液を、その複数のノズルのうちから所望に選択する一個のノズルに切り替えて導くよう装備せしめるノズル切り替えバルブ装置に、手元のコックを開弁させて、ノズルに至るまでの流路内の薬液が加圧されている状態において、安易に切り替え設定の作動が行えるようにしながら、シール部のシールが確実に行えるように構成することにある。
【課題を解決するための手段】
【０００９】
上述の課題を解決するため、本発明においては、請求項１に記載したように、
ボディａを、周面に接続管１０を支管状に設けた樹脂材よりなる接続部１と、周面に複数個のノズル接続口２０を放射状に設けた樹脂材よりなる噴頭部２とに分け、接続部１には、先端側に、内部に前記接続管１０内の管路と通ずる流路６を設けた軸筒部１１を、外径が噴頭部２の内径に対応する筒状に形成して噴頭部２に向け突出させて設け、その軸筒部１１の外周に噴頭部２を回転自在に嵌装するブーム多頭噴管Ａにおいて、前記軸筒部１１には、周面の一部に、その軸筒部１１の周面を周方向に沿って横切る底面が平面で外周面が軸筒部１１の周面に倣う軸方面視において三日月状の切欠部５を形成して、その切欠部５の底面の中央部に、前記流路６に通ずる開口５０を開設し、その開口５０の回りに環状の凹溝５１を形設してその凹溝５１内に弾性材よりなるＯリング７１を嵌装し、この切欠部５内に、テフロン（登録商標）等の軟質の樹脂よりなるシート７を、下面側が平面で上面側が前記噴頭部２の内周壁面に倣う円弧面とした軸方向視において前記切欠部５を埋める三日月状の形状に成形して嵌め込み、このシート７の前記開口５０と対向する部位に外面側に貫通する透孔７０を開設し、噴頭部２には、それの内周壁に外周側に設けた複数のノズル接続口２０のそれぞれに通ずる開口２１を、周方向に並列させて開設して、この噴頭部２を、前記切欠部５に三日月状のシート７を嵌め込んだ接続部１の軸筒部１１の外周に回転自在に嵌め合わせ、Ｏリング７１の弾性で押し上げられるシート７の上周面と噴頭部２の内周壁との摺接面により、開口２１まわりの水密を保持せしめるようにしたことを特徴とするブーム多頭噴管におけるノズル切り替えバルブ装置を提起し、また、これに併せて、
樹脂材よりなる接続部１の先端側に突設した軸筒部１１の外周面と、この軸筒部１１の外周側に嵌合する樹脂材よりなる噴頭部２の内周面とに、それらの一方の噴頭部２の内周面には、基端側に寄る部位に、内周面より径方向に凹み込む、軸芯線に沿う方向の係合溝４を、周方向に所定のピッチで並列させて環状に設け、他方の軸筒部１１の外周面には、基端側に寄る部位に外周面より径方向に突出して前記係合溝４に順次切り替わって係合する係合突起４０を設け、かつ、その係合溝４と係合突起４０との係合が、軸筒部１１に設けたシート７に開設せる透孔７０に対し噴頭部２の内周壁に開設せる開口２１が接合する通水状態位置と、透孔７０に対し開口２１と開口２１との間の噴頭部２の内周壁が接合する止水状態位置とにおいて行われるように設定して設けてなることを特徴とする請求項１記載のブーム多頭噴管におけるノズル切り替えバルブ装置を提起するものである。
【発明の効果】
【００１０】
本発明によるブーム多頭噴管におけるノズル切り替えバルブ装置は、噴管の内部の薬液の流路に設けた開口５０を、複数のノズルにそれぞれ通ずる開口２１に対し切り替えて連通させる切り替え部位のシールが、軸筒部の先端側の周面に形設した切欠部５に弾性材のＯリング７１を介して嵌装したシート７の円弧状の外面と、噴頭部２の内周壁との摺動面において行われることから、摺動面が小さく、噴管の本体である接続部１に対し噴頭部２を回転させて行う切替作動が大きな力を要さず容易に行える。
【００１１】
そして、この切り替え部位のシールは、シート７の弧状の外面側が、弾性材のＯリング７１の弾性の復元力により噴頭部２の内周面に緊密に圧接するようになるので、確実なものとなる。
【００１２】
また、噴管の本体となる接続部１に設けた軸筒部１１を支軸として、それの外周を回転する噴頭部２との間に、環状に並列する多数の係合溝４と、これら係合溝４に駒送り状に順次係合する係合突起４０とを設けて、接続部１に対し噴頭部２を回動させたときの位置決めが行われるようにしたときは、一駒ずつ、回転させることで、通水状態と止水状態との切り替えが適確に行えるようになる。
【００１３】
また、噴管内に組み込むボタ落ち防止弁機構は、ノズル切り替えバルブ装置の軸筒部１１を利用することで、適確に作動するようになる。
【発明を実施するための最良の形態】
【００１４】
次に本発明の実施の態様を、実施例の図面に従い詳述する。
【実施例１】
【００１５】
図２は本発明を実施せるブーム多頭噴管Ａの縦断断面図、図３は同上噴管の正面図、図４は同上噴管Ａを組み立てる前の、各構成部材が分解された状態における縦断側面図である。
【００１６】
図２において、Ａは噴管の全体、ａはその噴管Ａのボディ、１はそのボディａの、周面に支管状に接続管１０を設けている基端側の接続部、２はボディａの先端側の周面に放射状に突出する複数個のノズル接続口２０を設けている噴頭部、を示す。
【００１７】
噴管Ａのボディａは、図５にあるように、周面に支管状に突出する接続管１０を設けている筒状の接続部１と、周面に複数個のノズル接続口２０を設けた噴頭部２とに分けられ、それら接続部１と噴頭部２とを樹脂材により各別に成形している。
【００１８】
筒状に成形する噴頭部２には、それの内周壁に、外周側に設けた複数のノズル接続口２０のそれぞれに通ずる開口２１が、周方向に等配した位置に開設してあり、また、先端側の端壁には組付穴２２が開設してある。
【００１９】
接続部１には、それの先端側に、噴頭部２の内腔に嵌入する軸筒部１１が一体に連続して設けられる。この軸筒部１１は、それの外径が噴頭部２の内径に対応し、突出長さＬが、略噴頭部２の軸方向の長さＬ’に対応し、かつ、軸芯線を該接続部１の軸芯線に揃えて突設してある。この軸筒部１１の先端には、噴頭部２の先端側の端壁の中心部に開設した組付穴２２に嵌入して突出する軸杆部１２が設けてあり、その軸杆部１２には止め輪３を嵌装する環状溝１３を設けている。
【００２０】
そして、接続部１と噴頭部２とは、この接続部１の先端側に突設した軸筒部１１を、噴頭部２の内腔に嵌挿し、噴頭部２の先端側の端壁に開設した組付穴２２から突出する軸杆部１２の環状溝１３に、止め輪３を嵌装して係止することで噴頭部２が、この軸筒部１１を支軸として、接続部１に対し自在に回転するように連結した状態として結合している。
【００２１】
軸筒部１１の基端側の外周面と、噴頭部２の基端側の内周面とには、それらの一方に、軸芯線に沿う方向の係合溝４を、周方向に所定のピッチでラック状に並列して環状に連なるように設け、他方には、これら係合溝４に嵌合する係合突起４０を設けて、これら係合溝４と係合突起４０との嵌り合いで、接続部１に対し噴頭部２を前記軸筒部１１中心に回転させたときに、その回転を一こまずつ一時的に停止させる位置決めが行われるようにしている。
【００２２】
また、軸筒部１１の先端側の周面には、それの一部に、底面を平らな台面とした、軸方向視において三日月状をなす切欠部５が形設され、その切欠部５の底面の中心部位には、軸筒部１１の軸芯部位に形設してある薬液の流路６に通ずる開口５０が、開設され、さらに、その開口５０の周面には、環状の凹溝５１が形設される。前記開口５０は、軸筒部１１を噴頭部２の内腔に嵌挿して組み付けた状態において、噴頭部の回転によりその噴頭部２の内周壁に開設したノズル接続口２０の開口２１に、順次、切り替わって対向していく位置に設定して設けられている。
【００２３】
７は、この軸筒部１１の先端側の周面の一部に形設せる切欠部５に嵌め込まれるシートで、テフロン（登録商標）等の軟質の樹脂材で、下面が平らで上面が噴頭部２の内壁面に倣う弧面をなし、軸方向視において、前記切欠部５を埋める三日月状とした形状に形成してあり、それを切欠部５内に嵌め込んだときに、その切欠部５の底面に開設してある開口５０と対応する部位には、該シート７の上面側に貫通する透孔７０が開設してある。
【００２４】
そして、このシート７は、軸筒部１１を噴頭部２の内腔に嵌挿する前に、軸筒部１１の周面の一部に形設した前記切欠部５内に嵌め込んでおき、その状態で軸筒部１１と共に噴頭部２の内腔に嵌挿される。
【００２５】
このとき、切欠部５の底面に開設した開口５０の周囲に形設してある環状の凹溝５１内には弾性材よりなるＯリング７１を嵌装しておき、軸筒部１１と共にこのシート７を噴頭部２の内腔に嵌挿したとき、開口５０とシート７に設けた透孔７０との接合部位の周囲が、切欠部５の底面とシート７の下面との間で押し潰されるようになる弾性材のＯリング７１で水密に保持されるようにしている。
【００２６】
また、シート７の上面に開口する透孔７０の口縁部と、噴頭部２の内周壁との間のシールは、軟質の樹脂材で成形したシート７の弧状の上面が、前述の弾性材よりなるＯリング７１の弾性の復元力で、噴頭部２の内周壁に圧接することにより、それらの摺接面によって行われるようにしている。
【００２７】
即ち、薬液を、接続管１０の内腔の管路から軸筒部１１の内腔の流路６を経て切欠部５の開口５０に導き、その開口５０からシート７に設けた透孔７０と、ノズル接続口２０の開口２１とを経て、ノズル接続口２０に装着せるノズルｎに導くよう、噴管Ａのボディａ内に設けられる薬液の流路は、軸筒部１１の周面の一部に設けた切欠部５に嵌め込んだシート７に形設せる透孔７０が、噴頭部２に設けた複数のノズル接続口２０に通ずる開口２１のうちから選択した一つのノズル接続口２０の開口２１と接続連通する状態としたときは、透孔７０と開口２１との接合部位の回りに位置するシート７の弧状の上面が、噴頭部２の内周面に圧接していくことにより、その圧接部位において、シールを行って、流路からの薬液の漏れと他の開口２１への連通を遮断し、シート７の透孔７０が、噴頭部２の内周壁に開設した開口２１と開口２１との間に位置している状態のときには、シート７の上面側と噴頭部２の内周壁との圧接面でシールを行って、流路のノズル接続口２０に対する連通を遮断し、止水状態とするようにしてある。
【００２８】
このシート７が、軸筒部１１の回転により噴頭部２の内周壁の内面に沿い回動することで、シート７の透孔７０が、複数のノズル接続管２０のそれぞれの開口２１に対し切り替わって接続することにより行われる通水の状態と、開口２１と開口２１との間に、シート７の透孔７０が位置することによる止水の状態とは、軸筒部１１の基端部の外周面と噴頭部２の基端部の内周面との間に設けられる前述の係合溝４と係合突起４０との、駒送り状に行われる係合による回動位置の位置決めによって、交互に行われるよう設定される。
【００２９】
８は、散布作業を一時的に止めるため、手元の元栓を閉じたとき、導液管Ｂから噴管Ａの先端側に設けたノズルｎに至る薬液の流路内に残る薬液の圧力で、薬液がノズルｎの回りからボタ落ちするようになるのを防止するために、噴管Ａのボディａ内に装備せしめたボタ落ち防止用の防止弁機構を示す。
【００３０】
この防止弁機構８は、この実施例においては、前述した如く、ノズルｎに対し薬液の通水と止水とを行うノズル切り替えバルブ装置を構成するよう、接続部１の先端側に突出させて設けた軸筒部１１を利用して構成している。
【００３１】
即ち、軸筒部１１の軸芯部位に形成している流路６を、接続部１の内腔の軸芯部位に装設せる内筒８０により、接続部１の基端側に向け延長して、その内筒８０の基端側の開放口８１により接続部１の内腔に開口させ、その内筒８０の周囲には、接続部１の外周側に支管状に設けてある接続管１０内の管路と通ずる環状の流路８２を形成し、その環状の流路８２の下流側の開放口８３を、前記内筒８０の基端側の開放口８１の回りに解放させ、これらの開放口８１と開放口８３とに、接続部１の基端側に開放する開放口１４から装入するゴム材等の弾性材よりなる円盤状の弁膜８４を当接して閉鎖するとともに、その弁膜８４の周縁部により接続部１の基端側の開放口１１を閉塞し、その弁膜８４の外面側に、バネ座８５を介してコイルバネ８６の一端側を当接し、そのコイルバネ８６の他端側を、スプリングカバー８７で支承させ、そのスプリングカバー８７を接続部１の基端側の外周に螺合するキャップ８８により接続部１の基端側に固定することで構成している。
【００３２】
このようにして構成するボタ落ち防止用の防止弁機構８は、手元の元栓が開いていて、ポンプにより加圧された薬液が供給されているときは、接続管１０を経てボディａ内に流入してくる薬液の圧力で、弁膜８４がコイルバネ８６のバネ圧に抗して外側に押し出されて、環状の流路８２の開放口８３と内筒８０の基端側の開放口８１とを開放し、薬液が開放口８１と開放口８３を経て、軸筒部１１の内部の流路６に流れ、ノズル切り替えバルブ装置に至り、その装置のシート７に開設した透孔７０が軸筒部１１の回転により、選択したノズル接続口２０の開口２１に連通して通水の状態にあるときは、ノズルｎから散布されていくようになり、また、手元の元栓を閉めて、一時的に散布作業を停止したときは、弁膜８４がコイルバネ８６の付勢で閉弁し、導液管Ｂ内の薬液の残圧によりノズル切り替えバルブ装置のシール部分から薬液がボタ落ちするのを防止するように作用する。
【図面の簡単な説明】
【００３３】
【図１】ビーム多頭噴管の概要説明図である。
【図２】本発明によるノズル切り替えバルブ装置を実施せるビーム多頭噴管の全体の斜視図である。
【図３】同上噴管の縦断正面図である。
【図４】同上ビーム多頭噴管の先端側から見た側面図である。
【図５】同上噴管の分解した縦断面図である。
【図６】同上噴管の要部の拡大正面図である。
【図７】同上噴管の図３におけるＩ−Ｉ線の縦断面図である。
【符号の説明】
【００３４】
Ａ  ブーム多頭噴管
Ｂ  導液管
Ｌ  突出長さ
Ｌ’軸方向の長さ
ａ  ボディ
ｂ  接続口
ｎ  ノズル
１  接続部
１０  接続管
１１  軸筒部
１２  軸杆部
１３  環状溝
１４  開放口
２  噴頭部
２０  ノズル接続口
２１  開口
２２  組付穴
３  止め輪
４  係合溝
４０  係合突起
５  切欠部
５０  開口
５１  環状の凹溝
６  流路
７  シート
７０  透孔
７１  Ｏリング
８  防止弁機構
８０  内筒
８１  開放口
８２  流路
８３  開放口
８４  弁膜
８５  バネ座
８６  コイルバネ
８７  スプリングカバー
８８  キャップ
【図１】
0004801636.tif 000002
【図２】
0004801636.tif 000003
【図３】
0004801636.tif 000004
【図４】
0004801636.tif 000005
【図５】
0004801636.tif 000006
【図６】
0004801636.tif 000007
【図７】
0004801636.tif 000008